(57)【特許請求の範囲】
【請求項１】
静止画モードと動画モードからいずれかの撮影モードに切り替える切替手段と、
表示部に表示する構図に関する補助表示の種類を設定する設定手段であって、前記静止画モードにおける第一の補助表示と前記動画モードにおける第二の補助表示とを分けて設定する設定手段と、
前記切り替え手段によって前記静止画モードに切り替えられた場合には、前記第一の補助表示に基づく表示をし、前記切り替え手段によって前記動画モードに切り替えられた場合には、前記第二の補助表示に基づく表示をするように制御する表示制御手段とを有することを特徴とする表示制御装置。
【請求項２】
前記表示制御手段は、前記第一の補助表示を設定するための項目と前記第二の補助表示を設定するための項目とは別々に設けず、同一の項目として表示をするように制御することを特徴とする請求項１に記載の表示制御装置。
【請求項３】
前記設定手段は補助表示の変更を受け付け可能であり、前記静止画モードに設定されているときに補助表示を変更する指示を受け付けた場合には、前記第一の補助表示として設定し、前記動画モードに設定されているときに補助表示を変更する指示を受け付けた場合には前記第二の補助表示として設定するよう前記設定手段を制御する制御手段をさらに有することを特徴とする請求項１または２に記載の表示制御装置。
【請求項４】
前記静止画モードには少なくとも第一の撮影モードと第二の撮影モードが含まれており、
前記表示制御手段は、前記切替手段によって前記第一の撮影モードから前記第二の撮影モードに切り替えた場合には、前記第一の補助表示のまま表示する補助表示を変更せずに、前記切替手段によって前記第一の撮影モードから前記動画モードに含まれるいずれかの撮影モードに切り替えられた場合には、表示する補助表示を前記第一の補助表示から前記第二の補助表示に変更するように制御することを特徴とする請求項１乃至３の何れか１項に記載の表示制御装置。
【請求項５】
記録される領域の内側で特定のアスペクト比を示すためのアスペクトマーカーが前記第二の補助表示として設定可能な補助表示の種類に含まれ、前記アスペクトマーカーが前記第一の補助表示として設定可能な補助表示の種類に含まれないことを特徴とする請求項１乃至４の何れか１項に記載の表示制御装置。
【請求項６】
前記表示部のうち画像を表示する領域を分割するように表示される複数の線からなるグリッドラインを示す補助表示は、前記第一の補助表示と前記第二の補助表示ともに設定可能な補助表示の種類に含まれることを特徴とする請求項１乃至５の何れか１項に記載の表示制御装置。
【請求項７】
前記グリッドラインの種類には前記表示部のうち画像を表示する領域の縦方向を３分割、横方向を３分割することで、該領域を９分割するように表示される第一のグリッドラインが少なくとも含まれることを特徴とする請求項６に記載の表示制御装置。
【請求項８】
前記表示制御手段は、アスペクトマーカーまたは前記グリッドラインの双方を同時には表示しないように制御することを特徴とする請求項６または７に記載の表示制御装置。
【請求項９】
アスペクトマーカーを表示するための設定項目とグリッドラインを表示するための設定項目とは、前記第二の補助表示として設定可能な選択肢において、別の選択肢であることを特徴とする請求項６乃至８の何れか１項に記載の表示制御装置。
【請求項１０】
前記表示制御手段は、前記静止画モードにおいて前記表示部のうち前記静止画モードにおける画像の表示領域に所定のグリッドラインが前記表示領域を所定の数に分割するように表示されている場合に、
動画を撮影する指示を受け付けたことに応じて、撮影される静止画の領域を示していた前記表示領域とは異なる動画撮影中の画像の表示領域を前記所定の数に分割するように前記所定のグリッドラインを表示するように制御することを特徴とする請求項１乃至９の何れか１項に記載の表示制御装置。
【請求項１１】
前記表示制御手段は、静止画の撮影指示を受け付けたことに応じて前記第一の補助表示を前記表示部に表示し、動画の撮影指示を受け付けたことに応じて前記第二の補助表示を前記表示部に表示するように制御することを特徴とする請求項１乃至１０の何れか１項に記載の表示制御装置。
【請求項１２】
前記静止画モードでは静止画が撮影されるアスペクト比でライブビュー画像が表示され、前記動画モードでは動画が撮影されるアスペクト比でライブビュー画像が表示されることを特徴とする請求項１乃至１１の何れか１項に記載の表示制御装置。
【請求項１３】
静止画モードと動画モードからいずれかの撮影モードに切り替える切替ステップと、
表示部に表示する構図に関する補助表示の種類を設定する設定ステップであって、前記静止画モードにおける第一の補助表示と前記動画モードにおける第二の補助表示とを分けて設定する設定ステップと、
前記切り替えステップにおいて前記静止画モードに切り替えられた場合には、前記第一の補助表示に基づく表示をし、前記切り替えステップにおいて前記動画モードに切り替えられた場合には、前記第二の補助表示に基づく表示をするように制御する表示制御ステップとを有することを特徴とする表示制御装置の制御方法。
【請求項１４】
コンピュータを、請求項１乃至１２のいずれか１項に記載された表示制御装置の各手段として機能させるためのプログラム。
【請求項１５】
コンピュータを、請求項１乃至１２のいずれか１項に記載された表示制御装置の各手段として機能させるためのプログラムを格納したコンピュータが読み取り可能な記録媒体。
【発明の詳細な説明】
【技術分野】
【０００１】
本発明は、静止画と動画の撮影を行う際の撮影補助線を表示する技術に関する。
【背景技術】
【０００２】
静止画撮影を行う際にはライブビュー画面にグリッド線を引くことで撮影の構図等を決定するための補助を行うことがある。一方で、動画撮影を行う際にはライブビュー画面にアスペクトマーカーを引くことで編集の際のトリミング範囲を示すことがある。特許文献１には、セーフエリアに画角が納まるようにカメラマンに注意を促すために、撮影画像が表示される画面においてセーフエリアを示すセーフエリアマーカーを表示することが記載されている。特許文献２には、モード毎に撮影情報、グリッドライン、ヒストグラムの表示をするか否かを設定可能であり、表示モードに応じて設定された表示を行うことが記載されている。
【先行技術文献】
【特許文献】
【０００３】
【特許文献１】特開２０１０−１５２１３５号公報
【特許文献２】特開２００７−２４３９２３号公報
【発明の概要】
【発明が解決しようとする課題】
【０００４】
上記のように、静止画撮影に向けたグリッド線と動画撮影に向けたアスペクトマーカーをそれぞれ表示することで撮影が行いやすくなる。特許文献１に記載の表示方法では、セーフエリアマーカーを表示して撮影を行うことができるものの、静止画撮影と動画撮影とにおいて異なる補助表示をしたい場合には、撮影を切り替える度にセーフエリアの範囲の設定を行う必要がある。特許文献２に記載の表示方法では、表示モード毎に例えばグリッドラインを表示するか否かを設定することができるが、撮影モード毎にグリッドラインの表示形式を設定することはできない。よって、静止画撮影と動画撮影それぞれにおいて適した撮影補助線を表示することはできない。
【０００５】
本発明は、上記の課題に鑑み、静止画撮影と動画撮影においてそれぞれに適した補助表示を設定、表示が可能な表示制御装置の提供を目的とする。
【課題を解決するための手段】
【０００６】
上記目的を達成するために、本発明の表示制御装置は、静止画モードと動画モードからいずれかの撮影モードに切り替える切替手段と、表示部に表示する構図に関する補助表示の種類を設定する設定手段であって、前記静止画モードにおける第一の補助表示と前記動画モードにおける第二の補助表示とを分けて設定する設定手段と、前記切り替え手段によって前記静止画モードに切り替えられた場合には、前記第一の補助表示に基づく表示をし、前記切り替え手段によって前記動画モードに切り替えられた場合には、前記第二の補助表示に基づく表示をするように制御する表示制御手段とを有することを特徴とする。
【発明の効果】
【０００７】
本発明によれば、静止画撮影と動画撮影においてそれぞれに適した補助表示線を設定、表示が可能になる。
【図面の簡単な説明】
【０００８】
【図１】本発明の実施形態の構成を適用可能な装置の一例としてのデジタルカメラの外観図。
【図２】本発明の実施形態の構成を適用可能な装置の一例としてのデジタルカメラの構成例を示すブロック図。
【図３】本実施形態における撮影補助線の表示のフロー。
【図４】本実施形態における撮影モード中の表示部の表示例を示した図。
【図５】本実施形態における撮影中メニュー設定のフロー。
【図６】本実施形態における項目の表示例を示した図。
【発明を実施するための形態】
【０００９】
以下、図面を参照して本発明の好適な実施形態を説明する。
【００１０】
図１に本発明の表示制御装置の一例としてのデジタルカメラ１００の外観図を示す。表示部２８は画像や各種情報を表示する表示部である。シャッターボタン６１は撮影指示を行うための操作部である。モード切替スイッチ６０は各種モードを切り替えるための操作部である。コネクタ１１２は例えばＰＣやプリンタと接続するための接続ケーブル１１１とデジタルカメラ１００に接続するためのコネクタである。操作部７０はユーザからの各種操作を受け付ける各種スイッチ、ボタン、タッチパネル等の操作部材より成る操作部である。コントローラホイール７３は操作部７０に含まれる回転操作可能な操作部材である。コントローラホイール７３の内側には十字キー６５が配置されている。十字キー６５には上キー６５ａ、下キー６５ｂ、左右キーの四方向にあるボタンが含まれ、各ボタンの押下により選択項目の移動ができる。ＳＥＴボタン６６は十字キー６５の中心部に配置されており、ＳＥＴボタン６６の押下により選択した項目を設定することができる。電源スイッチ７２は、電源オン、電源オフを切り替えるための押しボタンである。動画ボタン６３は動画の撮影開始指示をするためのボタンであり、動画撮影が可能な撮影モードであれば動画ボタン６３の押下によって動画の撮影を開始（または終了）することができる。メニューボタン７４は、メニュー画面の表示・非表示を切り替えるボタンであり、メニュー画面ではデジタルカメラ１００に関する様々な設定をすることができる。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けて記録媒体スロット２０１から記録媒体２００の一部を取り出して露出させた状態を示している。
【００１１】
図２は、本実施形態によるデジタルカメラ１００の構成例を示すブロック図である。
【００１２】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１３】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画や所定時間の動画および音声を格納するのに十分な記憶容量を備えている。
【００１５】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１６】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１７】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１８】
システムタイマー５３は各種制御に用いる時間や、内蔵された時計の時間を計測する計時部である。
【００１９】
モード切替スイッチ６０、シャッターボタン６１、操作部７０はシステム制御部５０に各種の動作指示を入力するための操作手段である。
【００２０】
モード切替スイッチ６０は、システム制御部５０の動作モードを静止画モード、動画モード、再生モード等のいずれかに切り替える。静止画モードには、オートモード、スポーツ、ポートレート、オートシャッター、星空、簡単夜景、モノクロ等の撮影モードが含まれる。動画モードには、通常動画、短編動画、マニュアル露出動画等の撮影モードが含まれる。モード切替スイッチ６０で、メニュー画面に含まれるこれらのモードのいずれかに直接切り替えられる。あるいは、メニューボタン７４の押下によりメニュー画面に一旦切り換えた後に、メニュー画面に含まれるこれらのモードのいずれかに、他の操作部材を用いて切り替えるようにしてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２２】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタン７４が押されると各種の設定可能なメニュー画面が表示部２８に表示される。利用者は、表示部２８に表示されたメニュー画面と、上下左右の４方向の十字キー６５やＳＥＴボタン６６とを用いて直感的に各種設定を行うことができる。
【００２３】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２４】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２５】
電源スイッチ７２は、ユーザからの電源のＯＮとＯＦＦを受け付け可能であり、電源スイッチ７２から受けたＯＮ、ＯＦＦの信号はシステム制御部５０に伝わり、デジタルカメラ１００の電源の入り切りの制御が行われる。
【００２６】
なお操作部７０の一つとして、表示部２８に対する接触を検知可能なタッチパネル７０ａを有する。タッチパネル７０ａと表示部２８とは一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネルへの以下の操作。あるいは状態を検出できる。
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００２７】
これらの操作・状態や、タッチパネル上に指やペンがタッチしている位置座標はシステム制御部５０に通知され、システム制御部５０は通知された情報に基づいてタッチパネル上にどのような操作が行なわれたかを判定する。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対して指やペンが接近していても触れないこともタッチがあったと検出する方式ものがあるが、いずれの方式でもよい。
【００２８】
ここで、本実施形態における撮影補助線の設定について図６を用いて説明する。図６は、表示に関する設定を行う設定画面の表示例を示したものである。図６（ａ）は静止画モードの場合の情報表示設定画面の表示例、（ｂ）は動画モードの場合の情報表示設定画面の表示例を示している。図６（ａ）に示すように静止画モードにおいては、撮影情報表示設定というメニュー名６０１と、撮影情報表示設定において選択可能なメニュー項目として、切り換え設定（メニュー項目６０２）とグリッド設定（メニュー項目６０３）が表示される。図６（ｂ）に示すように動画モードでも、撮影情報表示設定というメニュー名６１８と、撮影情報表示設定において選択可能なメニュー項目として、静止画モードと同じ切り換え設定（メニュー項目６１９）とグリッド設定（メニュー項目６２０）が表示される。図６（ａ）、（ｂ）に示す情報表示設定画面は、それぞれの撮影待機状態から同様の操作によって、表示部２８に表示される。しかし、グリッド設定として設定されている項目が、静止画モードと動画モードでは異なる。本実施形態においては、静止画モードのグリッド設定として設定されているのは、メニュー項目６０２の右側に表示されている項目６１７の示すグリッド１である。一方で、動画モードのグリッド設定として設定されているのは、メニュー項目６２０の右側に表示されている項目６２１の示すアスペクト比２．３５：１である。撮影情報表示設定に含まれる選択肢（切り替え設定、グリッド設定）のうち表示例においてはメニュー項目６０２、６１９が選択カーソル６０８に囲まれており、静止画モード、動画モード共に切り換え設定が選択されていることを示している。
【００２９】
図６（ｃ）には、静止画モードの場合のグリッド設定画面の表示例、（ｄ）は動画モードの場合のグリッド設定画面の表示例を示している。静止画モードと動画モードでは、共にグリッド設定画面を表示するまでの操作と表示されるメニュー名は同一だが、グリッド設定画面において表示される項目（選択可能な項目）が異なる。また、静止画モードと動画モードにおいて設定中のグリッド設定（撮影補助線の設定）は、それぞれ不揮発性メモリ５６に記憶される。図６（ｃ）に示すように静止画モードにおいては、グリッド１を示す項目６０６とグリッド２を示す項目６０７の中からユーザはグリッドラインを選択することができる。グリッドラインを静止画撮影において表示することでユーザは構図や水平状況を確認しやすくなる。グリッド１は、３×３の領域に表示領域が分かれるようにするグリッドラインであり、グリッド２は、６×４の領域に表示領域が分かれるようにするグリッドラインである。図６（ｄ）に示すように動画モードにおいては、静止画モードで設定可能なグリッド１（項目６１０）、グリッド２（項目６１１）に加えて、５つのアスペクト比から撮影補助線を選択することができる。動画モードではさらにアスペクト比２．３５：１（項目６１２）、アスペクト比１．８５：１（項目６１３）、アスペクト比１．７５：１（項目６１４）、アスペクト比１．６６：１（項目６１５）、アスペクト比４：３のアスペクトマーカーも選択可能である。なお、アスペクト比４：３はスクロールが必要なため不図示である。動画撮影においては、編集において使用されるアスペクト比を示すアスペクトマーカーを表示することによりユーザは撮影中の動画の編集も考慮しながら動画の作成を進めることができる。動画の撮影中にユーザの使用する形式にあったアスペクトマーカーを表示することにより、ユーザは編集作業がしやすくなり、また編集を意識した撮影を行うことができる。動画モードにおいては静止画モードで設定可能なグリッド１及びグリッド２も撮影補助線として選択可能である。動画モードにおいて編集作業を要さないユーザや、グリッドラインをより重視するユーザにとってはグリッドラインを表示した方が、撮影が行いやすくなる。
【００３０】
撮影補助線の表示フローについて図３を用いて説明する。この処理は、不揮発性メモリ５６に記録されたプログラムをシステムメモリ５２に展開してシステム制御部５０が実行することで実現する。図３の処理は、デジタルカメラ１００に電源が入り、表示部２８への表示が可能になると開始する。
【００３１】
Ｓ３０１では、システム制御部５０は、現在設定中のモードが撮影モードか否かを判定する。撮影モードであると判定された場合は、Ｓ３０４へ進み、そうでない場合は、Ｓ３０２へ進む。ここでは、撮影を行う撮影モード（静止画モード、動画モード）、撮影した画像を確認するための再生モード、デジタルカメラ１００に関する設定を行う設定モード等のうち撮影モードに設定されているか否かを判定する。
【００３２】
Ｓ３０２では、システム制御部５０は、モード切替操作がされたか否かを判定する。モード切替操作されたと判定した場合は、Ｓ３０１へ戻り、そうでない場合は、Ｓ３０３へ進む。モード切替操作は、モード切替スイッチ６０への操作もしくはメニュー画面における撮影モード設定操作において行うことができる。
【００３３】
Ｓ３０３では、システム制御部５０は、撮影モードではない他のモードの処理へ進む。ここでは、他のモードの処理については割愛する。他のモードにおいて撮影モードが選択された場合にはＳ３０１へ戻る。
【００３４】
Ｓ３０４では、システム制御部５０は、設定中の撮影モードが静止画モードに含まれるモードであるか否かを判定する。静止画モードに含まれるモードであると判定した場合は、Ｓ３０５へ進み、そうでない場合は、Ｓ３２２へ進む。つまり、Ｓ３０４ではモード切替スイッチ６０またはメニュー画面において設定された撮影モードが、オートモード、スポーツ、ポートレート、オートシャッター、星空、簡単夜景、モノクロ等の撮影モードであれば静止画モードに含まれるモードであると判定する。一方、通常動画、短編動画、マニュアル露出動画等の撮影モードであれば、動画モードに含まれるモードが選択されたとしてＳ３２２へ進む。本実施形態の撮影モードには、静止画を主に撮影するための静止画モードと、動画を主に撮影するための動画モードが含まれる。静止画モードか動画モードかは、モード切替スイッチ６０への操作もしくはメニュー画面における撮影モード設定操作において行うことができる。また、撮影モードが変更されたとしても、変更前の撮影モードと変更後の撮影モードが共に静止画モード（または動画モード）に含まれる場合には、撮影補助線は変更しない。このように設定中の撮影モードが静止画モードか動画モードに含まれるかで、表示する撮影補助線を変更する。
【００３５】
Ｓ３０５では、システム制御部５０は、静止画のアスペクト比でライブビュー画像を表示部２８に表示する。図４（ａ）は静止画モードの場合のライブビュー画像４０２の表示部２８への表示例を示したものである。静止画のアスペクト比は本例では、４：３とする。本実施形態においては表示部２８の表示可能な領域のアスペクト比は４：３である。また静止画撮影における表示領域４０１は表示部２８の表示可能な領域と等しくアスペクト比は４：３ある。ライブビュー画像４０２は簡略化のため、白色の面を撮影したものとする。静止画のアスペクト比はユーザ設定によって４：３以外にも設定可能である。静止画のアスペクト比が表示領域４０１と異なるアスペクト比に設定された場合には、ピラーボックスやレターボックスなどの無画像領域を付して、ライブビュー画像を静止画のアスペクト比として設定されたアスペクト比で表示する。
【００３６】
Ｓ３０６では、システム制御部５０は、表示部２８において、不揮発性メモリ５６に記憶されている設定じょうほうに基づき設定中の静止画モード用の撮影補助線をライブビュー画像（本例においてはライブビュー画像４０２）と重畳して表示する。図４（ａ）には、グリッド設定において３×３のグリッドラインが設定された場合の表示部２８の表示例を示している。このとき、ライブビュー画像４０２の縦方向と横方向の辺の長さをそれぞれ３分割し、ライブビュー画像４０２を９分割するように４本のグリッドライン４０３が引かれる。
【００３７】
Ｓ３０７では、システム制御部５０は、撮影モードの切り替え操作がされたか否かを判定する。撮影モードの切り替え操作があったと判定した場合は、Ｓ３０４へ戻り、そうでない場合は、Ｓ３０８へ進む。
【００３８】
Ｓ３０８では、システム制御部５０は、メニューボタン７４の押下がされたか否かを判定する。メニューボタン７４が押下されたと判定した場合は、Ｓ３０９へ進み、そうでない場合は、Ｓ３１１へ進む。
【００３９】
Ｓ３０９では、システム制御部５０は、撮影中メニュー設定を行う。撮影中メニュー設定は、撮影モード中に設定する撮影に関する項目の設定であり、再生モード中や設定モード中にメニューボタン７４を押下することにより設定可能な項目とは異なるものを含む。撮影中メニュー設定では、撮影中に設定が必要な撮影情報表示設定（撮影補助線の表示設定を含む）やズーム設定、手ぶれ補正等の設定を行うことができる。撮影中メニュー設定の処理の詳細は図５を用いて後述する。
【００４０】
Ｓ３１０では、システム制御部５０は、Ｓ３０９での設定変更を反映して、静止画モード用の撮影補助線をライブビュー画像と重畳して表示する。Ｓ３１０において撮影補助線の設定が変更されていない場合にはＳ３０６から撮影補助線（図４（ａ）の例ではグリッドライン４０３）の表示は変わらない。
【００４１】
Ｓ３１１では、システム制御部５０は、動画撮影開始指示がされたか否かを判定する。動画撮影開始指示は、動画ボタン６３への押下により行うことができる。もしくは不図示の表示部２８に表示された動画開始ボタンへのタッチ操作を行うことにより、動画撮影を開始するようにしてもよい。
【００４２】
Ｓ３１２では、システム制御部５０は、動画撮影を開始する。
【００４３】
Ｓ３１３では、システム制御部５０は、動画のアスペクト比で撮影中の画像を表示する。図４（ｂ）に示すように、表示領域４０１に撮影中の画像４０４を表示部２８に表示する。本例では動画のアスペクト比が表示領域４０１と異なるアスペクト比１６：９に設定されているので、Ｓ３０５で説明したような無画像領域を付して、ライブビュー画像４０４を動画のアスペクト比として設定されたアスペクト比で表示する。図４（ｂ）は、静止画モードにおいて動画撮影をした場合の撮影中の表示部２８の表示例を示したものである。このようにライブビュー画像４０４を示すことで、動画として記録される領域は１６：９であることをユーザは認識することができる。
【００４４】
Ｓ３１４では、システム制御部５０は、表示部２８において、設定中の静止画モード用の撮影補助線を撮影中の画像と重畳して表示する。図４（ｂ）に動画撮影中の静止画モード用の撮影補助線の表示例を示す。図４（ｂ）は静止画モード用の撮影補助線としてグリッド１が設定されていた場合の表示例であり、１６：９の動画のライブビュー画像４０４に重畳して、３×３のグリッドライン４０５を表示している。図４（ａ）では、静止画のアスペクト比の表示領域４０１に静止画モード用の撮影補助線（本例ではグリッドライン４０３）を表示したが、Ｓ３１４では１６：９の動画のアスペクト比に合わせて表示する。よって、グリッドラインの表示間隔（図４の例では縦方向におけるライン間の距離）が静止画の時とは異なる。
【００４５】
Ｓ３１５では、システム制御部５０は、動画撮影終了指示がされたか否かを判定する。動画撮影終了指示がされたと判定された場合は、Ｓ３１６へ進み、そうでない場合は、動画撮影終了指示がされるまで待つ。ここで、動画撮影終了指示とは動画ボタン６３への押下により行うことができる。もしくは不図示の表示部２８に表示された動画終了ボタンへのタッチ操作を行うことにより、動画撮影を終了するようにしてもよい。または、電源のＯＦＦや電池が切れたことに応じても動画撮影は終了するが、このような場合にはＳ３１６へは進まずにデジタルカメラ１００の電源自体が切れてしまう。
【００４６】
Ｓ３１６では、システム制御部５０は、撮影終了処理を行う。撮影終了処理とは、動画の属性情報、フレーム間情報、サムネイルの作成、圧縮処理等を行い作成した動画を再生できるような処理を行う。これらの情報は記録媒体２００に動画と共に保存される。
【００４７】
Ｓ３１７では、システム制御部５０は、シャッターボタン６１の半押しによって第１シャッタースイッチ信号ＳＷ１がオンになったか否かを判定する。ＳＷ１がオンされたと判定した場合は、Ｓ３１８へ進み、そうでない場合は、Ｓ３２１へ進む。
【００４８】
Ｓ３１８では、システム制御部５０は、撮影準備を行う。撮影準備とは、ＡＦ処理、ＡＥ処理、ＡＷＢ処理、ＥＦ処理等の動作のことである。
【００４９】
Ｓ３１９では、システム制御部５０は、シャッターボタン６１の全押しによって第２シャッタースイッチ信号ＳＷ２がオンになったか否かを判定する。ＳＷ２がオンになった場合はＳ３２０へ進み、そうでない場合はＳ３２１に進む。
【００５０】
Ｓ３２０では、システム制御部５０は、静止画の撮影終了処理を行う。ここでは、撮像部２２により得られた画像（静止画）を記録媒体２００に記録する。
【００５１】
Ｓ３２１では、システム制御部５０は、終了操作が行われたか否かを判定する。終了操作が行われたと判定した場合は電源を切り、そうでない場合はＳ３０７へ戻る。ここで、終了操作とは電源をＯＦＦにする操作のことである。もしくは電池が切れた場合にも電源が切れる。
【００５２】
一方、Ｓ３２２では、システム制御部５０は、動画のアスペクト比でライブビュー画像を表示する。図４（ｃ）に示すように、本実施形態においては動画モードの場合には表示領域４０１（４：３のアスペクト比）の大きさと異なる大きさ、かつ、異なるアスペクト比（本例では、１６：９）でライブビュー画像４０８を表示する。図４（ｃ）に、動画モードの撮影待機中における動画モード用の撮影補助線の表示例を示す。図４（ｃ）は動画モード用の撮影補助線として４：３のアスペクト比が設定されていた場合のアスペクトマーカーの表示例であり、１６：９のライブビュー画像４０８に重畳して、４：３のアスペクトマーカー４０９を表示している。
【００５３】
Ｓ３２３では、システム制御部５０は、表示部２８において、不揮発性メモリ５６に記憶された設定情報に基づき、設定中の動画モード用の撮影補助線を撮影中の画像４０４と重畳して表示する。
【００５４】
Ｓ３２４〜Ｓ３２６は、Ｓ３０７〜Ｓ３０９と同様の処理である。
【００５５】
Ｓ３２７では、システム制御部５０は、Ｓ３２６での設定変更を反映して、設定中の動画モード用の撮影補助線を撮影中の画像と重畳して表示する。Ｓ３２６において撮影補助線の設定が変更されていない場合にはＳ３２３から撮影補助線の表示は変わらない。
【００５６】
Ｓ３２８〜Ｓ３２９は、Ｓ３１１〜３１２と同様の処理である。
【００５７】
Ｓ３３０では、システム制御部５０は、Ｓ３２３と同様に表示部２８において、設定中の動画モード用の撮影補助線を撮影中の画像（本実施形態では画像４１０）と重畳して表示する。Ｓ３２６において撮影補助線の設定が変更されていない場合にはＳ３２３から撮影補助線（図４（ｃ）の例ではアスペクトマーカー４０９）の表示は変わらない。また、ここで動画撮影中であることを示すＲＥＣ表示や、撮影経過時間等を示してもよい。Ｓ３１４では動画の撮影中にグリッドライン４０５（静止画モードにおいて設定された撮影補助線）を表示することを説明したが、Ｓ３３０では動画の撮影中にアスペクトマーカー４０９などの動画モードにおいて設定された撮影補助線を表示する。Ｓ３３０では撮影補助線を撮影中の画像に重畳して表示するが、表示する撮影補助線自体はＳ３２７と同じ表示である。
【００５８】
Ｓ３３１〜Ｓ３３７は、Ｓ３１５〜Ｓ３２１と同様の処理である。
【００５９】
次に、撮影中メニュー設定のフローについて図５を用いて説明する。図５の処理は、図３においてＳ３０９またはＳ３２６へステップに進み、撮影中メニュー設定において撮影情報表示設定のメニュー名が選択された場合の処理の詳細である。ズーム設定、手ぶれ補正等の設定のメニュー名が選択された場合についてはここでは割愛する。この処理は、不揮発性メモリ５６に記録されたプログラムをシステムメモリ５２に展開してシステム制御部５０が実行することで実現する。
【００６０】
Ｓ５０１では、システム制御部５０は、現在の撮影モードが静止画モードに含まれるモードであるか否かを判定する。静止画モードに含まれるモードであると判定した場合は、Ｓ５０２へ進み、そうでない場合は、Ｓ５１０へ進む。つまり、Ｓ５０１ではモード切替スイッチ６０またはメニュー画面において設定された撮影モードが、オートモード、スポーツ、ポートレート、オートシャッター、星空、簡単夜景、モノクロ等のであれば静止画モードに含まれるモードであると判定する。一方、通常動画、短編動画、マニュアル露出動画等の撮影モードであれば、動画モードに含まれるモードが選択されたとしてＳ５１０へ進む。
【００６１】
Ｓ５０２では、システム制御部５０は、静止画モード用のメニュー項目を表示部２８に表示する。図６（ａ）は、静止画モードの際にメニュー画面を表示して、メニュー項目の１つである撮影情報表示設定が選択されたときに表示される撮影情報表示設定画面の表示例である。
【００６２】
Ｓ５０３では、システム制御部５０は、撮影情報表示設定画面におけるグリッド設定（撮影補助線設定）の示すメニュー項目６０３が選択されたか否かを判定する。グリッド設定が選択されたと判定した場合は、Ｓ５０４へ進み、そうでない場合は、Ｓ５２２へ進む。
【００６３】
Ｓ５０４では、システム制御部５０は、前述した静止画モード用のグリッド設定画面（図６（ｃ））を表示部２８に表示する。
【００６４】
設定中の項目（図６（ｃ）においては項目６０６）は選択カーソル６０４に囲まれる。
【００６５】
Ｓ５０５では、システム制御部５０は、項目の移動操作があったか否かを判定する。移動操作があったと判定した場合は、Ｓ５０６へ進み、そうでない場合は、Ｓ５０８へ進む。項目の移動操作は、十字キー６５の上キー６５ａまたは下キー６５ｂへの押下や、コントローラホイール７３の回転操作によって行うことができる。
【００６６】
Ｓ５０６では、システム制御部５０は、グリッド１を示す項目６０６が選択されているか否かを判定する。項目６０６が選択されたと判定した場合は、Ｓ５０８へ進み、そうでない場合は、Ｓ５０７へ進む。
【００６７】
Ｓ５０７では、システム制御部５０は、グリッド２を示す項目６０７が選択されているか否かを判定する。項目６０７が選択されたと判定した場合は、Ｓ５０８へ進み、そうでない場合は、Ｓ５０５へ戻る。図６（ｃ）においては、項目６０７に移動操作が行われたことに応じて選択カーソル６０４が項目６０７へ移動する。
【００６８】
Ｓ５０８では、システム制御部５０は、選択中の撮影補助線を示す項目に決定されたか否かを判定する。決定されたと判定した場合は、Ｓ５０９へ進み、そうでない場合は、Ｓ５０５へ戻る。撮影補助線は、ＳＥＴボタン６６が押下されたことに応じて選択中の撮影補助線（項目）に設定される。図６（ｃ）において、ＳＥＴボタン６６を押下するとグリッド１に設定される。ＳＥＴ表示６１６を表示することにより、ＳＥＴボタン６６の押下によって選択中の項目に設定されることが分かる。
【００６９】
Ｓ５０９では、システム制御部５０は、選択中の撮影補助線の項目を静止画モードの撮影補助線として設定し、不揮発性メモリ５６に記録する。
【００７０】
Ｓ５１０では、システム制御部５０は、動画モード用のメニュー項目を表示部２８に表示する。図６（ｂ）は、動画モードの際にメニュー画面を表示して、メニュー項目の１つである撮影情報表示設定が選択されたときに表示される撮影情報表示設定画面の表示例である。
【００７１】
一方、Ｓ５１１では、システム制御部５０は、撮影情報表示設定画面におけるグリッド設定（撮影補助線設定）の示すメニュー項目６２０が選択されたか否かを判定する。グリッド設定が選択されたと判定した場合は、Ｓ５１２へ進み、そうでない場合は、Ｓ５２２へ進む。
【００７２】
Ｓ５１２では、システム制御部５０は、前述した動画モード用のグリッド設定画面（図６（ｄ））を表示部２８に表示する。また、Ｓ５１２においては設定中の項目が選択されていることを示す選択表示をする。設定中の項目（図６（ｄ）においては項目６１４）は選択カーソル６０４に囲まれる。
【００７３】
Ｓ５１３では、システム制御部５０は、項目の移動操作があったか否かを判定する。移動操作があったと判定した場合は、Ｓ５１４へ進み、そうでない場合は、Ｓ５２０へ進む。項目の移動操作は、十字キー６５の上キー６５ａまたは下キー６５ｂへの押下や、コントローラホイール７３の回転操作によって行うことができる。
【００７４】
Ｓ５１４〜Ｓ５１９では、システム制御部５０は、図６（ｃ）に示される項目のうちいずれかが選択されたか否かを判定する。選択候補の項目は、静止画モードの場合と同じグリッド１（項目６１０）、グリッド２（項目６１１）と以下の項目がある。アスペクト比２．３５：１（項目６１２）、アスペクト比１．８５：１（項目６１３）、アスペクト比１．７５：１（項目６１４）、アスペクト比１．６６：１（項目６１５）、アスペクト比４：３（不図示）がさらに選択候補の項目としてある。Ｓ５１４〜Ｓ５１９で、項目が選択されなかった場合はアスペクト比４：３が選択され、Ｓ５２０へ進む。
【００７５】
Ｓ５２０では、システム制御部５０は、選択中の撮影補助線を示す項目（グリッドラインまたはアスペクトマーカーの項目）に決定されたか否かを判定する。決定されたと判定した場合は、Ｓ５２１へ進み、そうでない場合は、Ｓ５１３へ戻る。ＳＥＴボタン６６が押下されたことに応じて選択中の撮影補助線（項目）に設定される。図６（ｄ）において、ＳＥＴボタン６６を押下するとアスペクト比１．７５：１に設定される。
【００７６】
Ｓ５２１では、システム制御部５０は、選択中の撮影補助線の項目（アスペクトマーカーもしくはグリッドライン）を動画モードの撮影補助線として設定し、静止画モード用の撮影補助線の設定情報とは別途、不揮発性メモリ５６に記録する。このように動画モードでは、アスペクトマーカーとグリッドラインから撮影補助線を設定可能だが、其々同じメニュー項目内の別の選択肢（選択可能な設定項目）であるため、アスペクトマーカーとグリッドラインの両方が同時に表示部２８に表示されることはない。
【００７７】
一方、Ｓ５２２では、システム制御部５０は、その他の撮影中の項目が選択されたか否かを判定する。選択されたと判定した場合は、Ｓ５２３へ進み、そうでない場合は、Ｓ５２４へ進む。
【００７８】
Ｓ５２３では、システム制御部５０は、Ｓ５２２において選択された項目について設定を行う。詳細についてはここでは割愛する。
【００７９】
Ｓ５２４では、システム制御部５０は、終了操作があったか否かを判定する。終了操作があったと判定した場合は、撮影中メニュー設定を終了し、そうでない場合は、Ｓ５０２へ進む。終了操作とはメニューボタン７４の押下である。撮影中メニュー設定が終了すると図３のＳ３１０もしくはＳ３２７へ進む。
【００８０】
以上、説明した実施形態によれば、静止画モードと動画モードにおいて、それぞれのモードに切り替えたことに応じて、それぞれのモードに応じた撮影補助線を表示することができる。また、静止画モードと動画モードそれぞれの撮影モードにおいて、ユーザは撮影補助線を設定することができる。静止画撮影においては静止画モードにおいて設定されたグリッドラインを表示することで、ユーザは静止画撮影の際に確認したいグリッドラインで構図や水平状況を確認しやすくなる。また、動画撮影においては、動画モードにおいて設定されたグリッドラインまたはアスペクトマーカーを撮影補助線として表示することで、ユーザは動画撮影の際に確認したいグリッドラインまたはアスペクトマーカーを用いて動画の撮影することができる。さらに、静止画モードの撮影中には静止画モードにおける撮影補助線の設定を行い、動画モードの撮影中には、動画モードにおける撮影補助線の設定を行うので、撮影中に素早く設定の変更を行うことができる。静止画モードの撮影中には静止画モードに適した項目のみ、動画モードの撮影中には動画モードに適した項目のみを選択肢として表示するので、より直感的に選択操作を行うことができる。静止画モード用の撮影補助線と動画モード用の撮影補助線とを別々に設定できるが、メニューにおいて項目が分かれていないので、ユーザはそれぞれ別途に設定しなればならないことを意識せずに済み、煩わしさを感じさせないようにすることができる。また、各撮影モードにおいて撮影補助設定を行うと、各撮影モードに応じた設定画面が表示されるので、ユーザが設定する項目や設定内容を混乱する可能性を低減することができる。
【００８１】
静止画モードにおいては静止画モードの撮影補助表示として設定されたグリッドライン、動画モードにおいては動画モードの撮影補助表示として設定されたグリッドラインまたはアスペクトマーカーしか表示しない。また、グリッドラインとアスペクトマーカーの双方を同時に表示しない。ユーザにとって不必要な表示までをライブビュー画像や撮影中の画像に重ねて表示しないので、撮影する画像に対する視認性が低下しない。さらに、どの表示が何を意味しているのかユーザが分からなくなり、誤ったアングルや大きさで撮影を行ってしまう可能性が低くなる。
【００８２】
本実施形態では、モードに関わらず（静止画モードと動画モードのいずれであっても）、シャッターボタン６１の全押しで静止画の撮影が可能であり、動画ボタン６３の押下により動画の撮影が可能である。つまり、現在設定されている撮影モードが主に静止画を撮影するためのモードか、動画を撮影するためのモードかに応じて、撮影モードに適した撮影補助線をする。また、静止画モードにおいて動画撮影を開始した場合には表示領域は動画のためのアスペクト比に変更しつつ、静止画モードにおいて設定されているグリッドラインを表示する。よって、静止画モードにおいて動画の撮影を行う場合には、動画が記録される画像の大きさに合わせて、所望の構図を意識しながら（設定したグリッドラインを見ながら）撮影を行うことができる。
【００８３】
なお、撮影補助設定はタッチパネル７０ａへの操作においても行うことができる。また、タッチパネル７０ａを用いるとユーザはより直感的に項目の選択や設定を行うことができるので、タッチ操作によりグリッドラインを引く位置を設定するようにしてもよい。つまり、タッチパネル７０ａへのタッチ位置に応じて表示部２８上でのグリッドラインの位置を決めることで、ユーザはよりそれぞれの撮影に応じたグリッドラインでの撮影を行えるようになる。
【００８４】
なお、本実施形態で示したグリッドライン、アスペクトマーカーの設定値は一例に過ぎず、これに限ったものではない。グリッドラインやアスペクトマーカーはユーザがいくつかの候補から選択するのではなく、それぞれの値を設定するようにしてもよい。また、静止画モードにおいては撮影補助線の選択可能な項目としてグリッドライン以外の項目を選択可能にしてもよい。また、グリッドライン、アスペクトマーカーに限らず他の種類の撮影補助線を選択する候補としてもよい。例えば、水準器やＡＦ枠等を候補としてもよい。
【００８５】
静止画モード、動画モードに含まれるモードは本実施形態において説明したモードに限らない。静止画モードと動画モードどちらにも含まれないモード、もしくは撮影指示に応じて静止画か動画の撮影を切り替えるモードにおいては本実施形態のように撮影モードを分けられない場合がある。撮影を行う前に撮影モードが定まっていないような場合には、最後に設定中のモードにおいて行われた撮影の種類に応じて表示を変更するようにしてもよい。つまり、静止画撮影が行われたことに応じてユーザの設定したグリッドラインを表示し、動画撮影が行われたことに応じてユーザの設定したアスペクトマーカーもしくはグリッドラインを表示するようにしてもよい。このように静止画撮影か動画撮影かのいずれかが行われたことに応じて、撮影補助線をそれぞれの撮影モードに応じた表示に変更するとユーザは表示を切り替える操作を行わなくても、所望の撮影補助線で撮影を行うことができる。
【００８６】
なお、本実施形態においてはグリッドラインもしくはアスペクトマーカーのいずれかを表示することを説明したが、必ずしも撮影補助線を行わなくてもよい。
【００８７】
なお、デジタルカメラ１００の制御は１つのハードウェアが行ってもよいし、複数のハードウェアが処理を分担することで、装置全体の制御を行ってもよい。
【００８８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８９】
また、上述した実施形態においては、本発明をデジタルカメラ１００に適用した場合を例にして説明したが、これはこの例に限定されず表示部に対する表示制御を行うことができるような表示制御装置であれば適用可能である。すなわち、本発明は携帯電話端末や携帯型の画像ビューワ、ファインダーを備えるプリンタ装置、デジタルフォトフレーム、音楽プレーヤー、ゲーム機、電子ブックリーダーなどに適用可能である。
【００９０】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006407017.tif 000002
【図２】
0006407017.tif 000003
【図３】
0006407017.tif 000004
【図４】
0006407017.tif 000005
【図５】
0006407017.tif 000006
【図６】
0006407017.tif 000007